(57)【要約】【課題】作業性を向上させ、固定状態を維持することができるスタッド固定ランナーを得る。【解決手段】ランナー２４の上フランジ２６と下フランジ２８の間へ切り起こされた支持片３２、３６をランナー２４の長手方向に沿って上下交互に配置することで、スタッド１０をランナー２４の上フランジ２６に固定させる際、当該スタッド１０を支持片３２によって支持することができ、当該スタッド１０を持ち上げる必要はなくなる。一方、スタッド１２をランナー２４の下フランジ２８に固定させる際、スタッド１２のフランジ１８は当該支持片３６によって押さえられるため、ビス止めの際にスタッド１２を押さえる必要はなくなる。したがって、作業性が向上する。また、ランナー２４に固定されていないスタッド１０、１２の下フランジ１８、上フランジ１６は、支持片３２、３６によってそれぞれ支持されるため、輸送時においてスタッド１０、１２の固定状態が維持される。【選択図】図１
0003162455.tif 000002
【実用新案登録請求の範囲】
【請求項１】
複数のスタッドが千鳥状に配置された状態で固定されるスタッド固定ランナーであって、
前記スタッドの長手方向の端面を支持するウエブと、
前記ウエブの両端から立ち上がり、当該スタッドの側壁と対面する一対のフランジと、
前記ウエブ及び前記フランジの少なくとも一方から切り起こされて前記スタッドの側壁と当該フランジとの間に設けられる隙間内に配置され、前記スタッドの側壁を支持する支持片と、
を有するスタッド固定ランナー。
【請求項２】
前記スタッドの側壁に設けられた絞り部に形成された係合部と係合して当該スタッドの前記フランジの延設方向に沿った移動を規制する被係合部が前記支持片に形成された請求項１に記載のスタッド固定ランナー。
【考案の詳細な説明】
【技術分野】
【０００１】
本考案は、スタッドを固定するスタッド固定ランナーに関する。
【背景技術】
【０００２】
壁パネルには、壁パネルの上縁及び下縁に配置された上下一対の溝形形状のランナーと、壁パネルの上縁側に配置された上部ランナーと壁パネルの下縁側に配置された下部ランナーとを架け渡し、当該ランナーの延設方向に沿って所定の間隔で配置されるリップ付溝形形状の複数のスタッドと、が備えられている。
【０００３】
ここで、スタッドはランナーの幅方向で千鳥状に配置されており、ランナーの一方のフランジと他方のフランジとは、スタッドの側壁との間で、ランナーの延設方向に沿って交互に隙間が設けられるようになっている。これにより、壁パネル内での振動伝達を低減し、高い遮音性能が得られるようにしている。
【０００４】
一方、ランナーへスタッドを固定させる際、スタッド及びランナーを横倒させた状態で作業が行われるが、ランナーに対してスタッドを千鳥状に配置するには、隣接スタッドにおいて、一方では、スタッドを持ち上げてビス止めを行い、他方では、ビス止めの際、スタッドが浮き上がらないよう当該スタッドを押さえる必要があり、作業性が良くない。
【０００５】
また、ランナーの一方のフランジにのみスタッドが固定（一点固定）され、ランナーの他方のフランジではスタッドの側壁との間に隙間が設けられるため、当該スタッドの側壁側は自由状態となり、輸送時にスタッドが揺動し、当該ビスが緩んでしまう可能性もある。
【先行技術文献】
【特許文献】
【０００６】
【特許文献１】特開２００８−３０３５５７号公報
【考案の概要】
【考案が解決しようとする課題】
【０００７】
本考案は上記事実を考慮し、作業性を向上させ、固定状態を維持することができるスタッド固定ランナーを得ることが目的である。
【課題を解決するための手段】
【０００８】
請求項１に記載の考案に係るスタッド固定ランナーは、複数のスタッドが千鳥状に配置された状態で固定されるスタッド固定ランナーであって、前記スタッドの延設方向の端面を支持するウエブと、前記ウエブの両端から立ち上がり、当該スタッドの側壁と対面する一対のフランジと、前記ウエブ及び前記フランジの少なくとも一方から切り起こされて前記スタッドの側壁と当該フランジとの間に設けられる隙間内に配置され、前記スタッドの側壁を支持する支持片と、を有している。
【０００９】
請求項１に記載の考案に係るスタッド固定ランナーでは、複数のスタッドが千鳥状に配置された状態で固定される。このスタッド固定ランナーは、スタッドの延設方向の端面を支持するウエブと、当該ウエブの両端から立ち上がり、スタッドの側壁と対面する一対のフランジと、を含んで構成されている。そして、スタッド固定ランナーのウエブ及びフランジの少なくとも一方から支持片が切り起こされており、支持片は、スタッドの側壁と当該フランジとの間に設けられる隙間内に配置され、当該スタッドの側壁を支持する。
【００１０】
ここで、スタッドを横倒させ、スタッド固定ランナーの内側に当該スタッドが配置された状態で、スタッドの上方に位置するスタッド固定ランナーのフランジを上フランジとし、スタッドの下方に位置するスタッド固定ランナーのフランジを下フランジとして、以下説明する。
【００１１】
スタッド固定ランナー内でスタッドを千鳥状に配置させる場合、スタッド固定ランナーの上フランジに固定されるスタッドは、当該スタッドの側壁とスタッド固定ランナーの下フランジとの間に隙間が設けられることとなる。一方、スタッド固定ランナーの下フランジに固定されるスタッドは、当該スタッドの側壁とスタッド固定ランナーの上フランジとの間に隙間が設けられることとなる。
【００１２】
このため、スタッド固定ランナーの上フランジにスタッドが固定される場合、ウエブ及び下フランジの少なくとも一方から切り起こされた支持片が、スタッドの側壁とスタッド固定ランナーの下フランジとの間の隙間内に配置されるようにすることで、スタッドの側壁は当該支持片によって支持（保持）可能とされる。したがって、スタッドの側壁が支持片によって支持されるようにすることで、スタッド固定ランナーの上フランジにスタッドを固定させる際に、当該スタッドを持ち上げる必要はなくなる。
【００１３】
一方、スタッド固定ランナーの下フランジにスタッドが固定される場合、ウエブ及び上フランジの少なくとも一方から切り起こされた支持片が、スタッドの側壁とスタッド固定ランナーの上フランジとの間の隙間内に配置されるようにすることで、スタッドの側壁は当該支持片によって支持（押さえ）可能とされる。このため、スタッドの側壁が支持片によって支持されるようにすることで、スタッド固定ランナーの下フランジにスタッドを固定させるためのビス止めの際に、スタッドが浮き上がらないように当該スタッドを押さえる必要はなくなる。
【００１４】
以上のように、スタッド固定ランナーの上フランジ又は下フランジとスタッドの側壁との間に設けられる隙間内に支持片を配置し、当該支持片によってスタッドの側壁が支持されるようにすることで、輸送時において、一点固定によるスタッドの揺動を防止又は抑制することができる。
【００１５】
請求項２に記載のスタッド固定ランナーは、請求項１に記載のスタッド固定ランナーにおいて、前記スタッドの側壁に設けられた絞り部に形成された係合部と係合して当該スタッドの前記フランジの延設方向に沿った移動を規制する被係合部が前記支持片に形成されている。
【００１６】
請求項２に記載のスタッド固定ランナーでは、スタッドの側壁には絞り部が形成されており、当該絞り部には係合部が形成されている。この係合部と係合する被係合部が支持片に形成されており、被係合部が係合部に係合された状態で、スタッド固定ランナーのフランジの延設方向に沿ったスタッドの移動が規制される。
【考案の効果】
【００１７】
以上説明したように、請求項１に記載の本考案に係るスタッド固定ランナーによれば、作業性を向上させ、スタッドの固定状態を維持することができるという優れた効果を有する。
【００１８】
請求項２に記載の本考案に係るスタッド固定ランナーによれば、スタッド固定ランナーのフランジの延設方向に沿ったスタッドの位置ずれを防止することができるという優れた効果を有する。
【図面の簡単な説明】
【００１９】
【図１】第１の実施の形態に係るスタッド固定ランナー及びスタッドを横倒させた状態を示す分解斜視図である。
【図２】第１の実施の形態に係るスタッド固定ランナーにスタッドが千鳥配置された状態を示す断面図である。
【図３】第１の実施の形態に係るスタッド固定ランナーの変形例及びスタッドを示す分解斜視図である。
【図４】第２の実施の形態に係るスタッド固定ランナー及び起立させた状態のスタッドを示す分解斜視図である。
【図５】第２の実施の形態に係るスタッド固定ランナーにスタッドが千鳥配置された状態を示す断面図である。
【図６】第１の実施形態の補足（１）に係るスタッド固定ランナー及びスタッドを起立させた状態を示す斜視図である。
【図７】図６の水平断面図である。
【図８】図７の８−８線断面図である。
【図９】第１の実施形態の補足（２）に係るスタッド固定ランナー及びスタッドを起立させた状態を示す斜視図である。
【図１０】図９の水平断面図である。
【考案を実施するための形態】
【００２０】
以下、本考案の実施形態に係るスタッド固定ランナーについて説明する。
＜第１の実施形態＞
まず、第１の実施形態に係るスタッド固定ランナーについて説明する。
【００２１】
（スタッド固定ランナーの構成）
図１には、スタッド固定ランナーとしてのランナー２４と、当該ランナー２４に固定されるスタッド１０、１２と、が横倒した状態で図示されている。なお、ここでは、スタッド１０、１２の延設方向（長手方向）の一端側を図示しているが、他端側においても同様である。
【００２２】
図１に示されるように、スタッド１０、１２はそれぞれリップ付溝形形状を成しており、中央部に延設されたウエブ１４と、当該ウエブ１４の幅方向の両端部から立ち上がって互いに対向するフランジ１６、１８と、が備えられている。当該フランジ１６、１８の先端部からは、ウエブ１４と対向してリップ２０、２２がそれぞれ延出している。
【００２３】
これらのスタッド１０、１２を固定するランナー２４は、スタッド１０の長手方向の端面を支持するウエブ２５と、当該ウエブ２５の両端部から立ち上がり、スタッド１０、１２のフランジ１６と対面するフランジ２６と、スタッド１０、１２のフランジ１８と対面するフランジ２８と、を含んで構成されている。
【００２４】
以下、説明の便宜上、図１で示すスタッド１０、１２のフランジ１６を「上フランジ１６」といい、スタッド１０、１２のフランジ１８を「下フランジ１８」という。また、ランナー２４においてもスタッド１０、１２と同様、ランナー２４のフランジ２６を「上フランジ２６」といい、ランナー２４のフランジ２８を「下フランジ２８」という。
【００２５】
図２に示されるように、スタッド１０、１２は、ランナー２４の上フランジ２６と下フランジ２８の間に配置され、ランナー２４の長手方向に沿って所定の間隔で２つ一組となって配置されている。そして、隣接するスタッド１０、１２同士は、ランナー２４の幅方向で千鳥状に配置されている。
【００２６】
つまり、スタッド１０はランナー２４の幅方向で上下交互に配置され、スタッド１０はランナー２４の下フランジ２８との間に隙間を設けた状態で、ビス２９を介して上フランジ２６に固定される。また、スタッド１２はランナー２４の上フランジ２６との間に隙間を設けた状態で、ビス２９を介して下フランジ２８に固定される（いわゆる千鳥配置）。
【００２７】
このように、ランナー２４に対してスタッド１０、１２を千鳥配置することで、このランナー２４及びスタッド１０、１２を備えた壁パネル（図示省略）内での振動伝達を低減し、高い遮音性能が得られるようにしている。
【００２８】
ここで、図１に示されるように、ランナー２４のウエブ２５の幅方向の一端部側から下フランジ２８に亘って切込み部３０が設けられている。この切込み部３０は、スタッド１０の下フランジ１８の幅に合わせてＬ字状に２本切込まれると共に、下フランジ２８に位置する端部同士を繋いで形成されている。
【００２９】
この切込み部３０によって、矩形状の支持片３２がプレスなどによって切り起こされ、図２に示されるように、スタッド１０の下フランジ１８とランナー２４の下フランジ２８との間に設けられる隙間内に配置されるように設定されている。これにより、当該スタッド１０は支持片３２によって支持（保持）可能とされる。
【００３０】
また、ランナー２４の長手方向に沿って隣接するウエブ２５の幅方向の他端側からは、上フランジ２６に亘って、切込み部３０と略同一の切込み部３４が形成されている。この切込み部３４によって、矩形状の支持片３６がプレスなどによって切り起こされ、スタッド１２の上フランジ１６とランナー２４の上フランジ２６との間に設けられる隙間内に配置されるように設定されている。これにより、当該スタッド１２は支持片３６によって支持（押さえ）可能とされる。
【００３１】
（スタッド固定ランナーの作用・効果）
図１に示されるように、ランナー２４の上フランジ２６と下フランジ２８の間へ切り起こされた支持片３２、３６をランナー２４の長手方向に沿って上下交互に配置している。これにより、ランナー２４の上フランジ２６に固定されるスタッド１０の場合、スタッド１０を当該上フランジ２６に固定させる際に、支持片３２にスタッド１０のフランジ１８を当接させ、支持片３２によってスタッド１０を支持させることができる。このため、上フランジ２６にスタッド１０を固定させる際に、当該スタッド１０を持ち上げる必要はなくなり、作業性を向上させることができる。
【００３２】
一方、ランナー２４の下フランジ２８に固定されるスタッド１２の場合、スタッド１２を当該下フランジ２８に固定させる際に、支持片３６がスタッド１２のフランジ１６に当接し、当該フランジ１６が支持片３６によって押さえられる。このため、下フランジ２８にスタッド１２を固定させるためのビス止めの際に、スタッド１２が浮き上がらないように当該スタッド１２を押さえる必要はなくなり、作業性を向上させることができる。
【００３３】
また、スタッド１０の下フランジ１８及びスタッド１２の上フランジ１６は、それぞれランナー２４に固定されていないが、スタッド１０の下フランジ１８は支持片３２によって支持され、スタッド１２の上フランジ１６は支持片３６によって支持されるため、輸送時において、スタッド１０、１２の揺動が防止又は抑制され、スタッド１０、１２の固定状態は維持される。
【００３４】
なお、本実施形態では、図１に示されるように、支持片３０、３６は矩形状を成しているが、スタッド１０を支持、又はスタッド１２を押さえることができれば良いため、これに限るものではない。
【００３５】
例えば、図３に示されるように、切込み部３８の幅寸法（ランナー２４の長手方向に沿った長さ）を切込み部３０、３４よりも広げ、スタッド１０（スタッド１２側も同様である）の下フランジ１８の幅に合わせて、支持片４０の両端部に折返し部４２を設けるようにしても良い。
【００３６】
これによると、スタッド１０を当該支持片４０に支持させた状態で、折返し部４２がスタッド１０のリップ２２又はウエブ１４にそれぞれ対面するため、ランナー２４の長手方向に沿ったスタッド１０の位置ずれを防止又は抑制することができる。この場合、折返し部４２の長さを長くして、スタッド１０のリップ２２又はウエブ１４と接触可能な領域を増やすことで、スタッド１０を起立させた状態でもスタッド１０の保持力を高めることができる。
【００３７】
また、本実施形態では、ランナー２４のウエブ２５から下フランジ２８又は上フランジ２６に亘って切込み部３０、３４を形成し、矩形状の支持片３２、３６を切り起こしてスタッド１０、１２を支持可能としたが、スタッド１０とランナー２４の下フランジ２８、又はスタッド１２とランナー２４の上フランジ２６との間の隙間内に支持片が配置され、スタッドの側壁を支持することができれば良いため、これに限るものではない。
【００３８】
例えば、ウエブ又はフランジのみに切込み部を形成して、当該ウエブ又はフランジのみを使って支持片を形成しても良い。この場合、支持片は必ずしも矩形状である必要はない。なお、支持片がフランジのみを使って形成された例は第２の実施形態で説明する。また、支持片がウエブのみを使って形成された例は、実施形態の補足説明として後述する。
【００３９】
＜第２の実施形態＞
次に、第２の実施形態に係るスタッド固定ランナーについて説明する。なお、第１の実施形態と略同一の内容については説明を省略する。
【００４０】
（スタッド固定ランナーの構成）
本実施形態では、図４において、説明の便宜上、スタッド５０、５２を起立させ、スタッド５０、５２の下端側にランナー４８を配置した状態で図示しているが、スタッド５０、５２をランナー４８に固定する際には、第１の実施形態と同様、スタッド５０、５２を横倒させる。
【００４１】
スタッド５０、５２のフランジ５４、５６の長手方向の両端部（なお、一端部側のみ図示）には、絞り部５８が形成されており、絞り量分、フランジ５４の外面とフランジ５６の外面との離間距離が他の部分よりも短くなっている。そして、ここでは、絞り部５８の絞り量は、ランナー４８のフランジ６０、６２の板厚と略同一となるように設定されている。
【００４２】
また、ランナー４８のフランジ６０、６２に設けられた、ビス２９が挿通される挿通孔６０Ａ、６２Ａの周縁部は、フランジ６０、６２の表面よりも凹んでおり、ビス２９が固定された状態で、ビス２９の頭部がフランジ６０、６２の表面から突出しないようにしている。
【００４３】
また、絞り部５８の幅方向の中央部には、フランジ５４、５６の長手方向に沿って凹部６４が形成されており、凹部６４の略中央部には、ランナー４８のフランジ６０、６２に固定される側に、ネジ孔６６が形成されている。
【００４４】
一方、ランナー４８のフランジ６０、６２には、逆Ｕ字状の切込み部６８が形成されている。この切込み部６８によって切り起こされた支持片７０が断面Ｌ状を成し、スタッド５０のフランジ５６とランナー４８のフランジ６２、或いはスタッド５２の絞り部５８とランナー４８のフランジ６０との間に設けられる隙間内に配置されるように設定されている。
【００４５】
そして、支持片７０のフランジ６０、６２と対向する立壁７２の中央部には、スタッド５０の絞り部５８に形成された凹部６４と係合可能な円形状の係合突部７４が、対向するフランジ６０、６２側へ向かって突設されている。
【００４６】
（スタッド固定ランナーの作用・効果）
図４及び図５に示されるように、スタッド５０、５２のフランジ５４、５６の両端部には絞り部５８が形成されており、絞り量がランナー４８のフランジ６０、６２の板厚と略同一となるように設定されている。
【００４７】
このため、ランナー４８のフランジ６０にスタッド５０を固定した際に、スタッド５０のフランジ５４の外面と、ランナー４８のフランジ６０の外面とが面一となる（スタッド５２も同様である）。つまり、ランナー４８のフランジ６０、６２の外面とスタッド５０の外面との間で段差が生じないため、壁材（図示省略）の裏面側において、ランナー４８のフランジ６０、６２との干渉を回避するための削り作業が不要となり、作業性が良い。
【００４８】
そして、ここでは、この絞り部５８を利用し、当該絞り部５８の幅方向の中央部に、フランジ５４、５６の長手方向に沿って凹部６４を形成し、ランナー４８に設けられた支持片７０の立壁７２に、当該凹部６４と係合可能な係合突部７４を突設している。
【００４９】
このため、係合突部７４に凹部６４が係合された状態で、スタッド５０、５２のランナー４８の長手方向に沿った移動が規制される。つまり、ランナー４８に固定されていない側のスタッド５０のフランジ５６、或いはスタッド５２のフランジ５４において、ランナー４８の長手方向に沿った位置ずれを防止することができる。
【００５０】
なお、ここでは、スタッド５０の絞り部５８に凹部６４を形成し、ランナー４８のフランジ６０、６２に設けられた支持片７０に係合突部７４を突設させたが、スタッド５０、５２とランナー４８との位置ずれを防止することができれば良いため、これに限るものではない。例えば、スタッド５０の絞り部５８に、図示はしないが突部を形成し、ランナー４８に設けられた支持片７０には当該突部と係合する凹部を形成しても良い。
【００５１】
＜実施形態の補足説明＞
第１の実施形態の補足として、ここでは支持片がランナーのウエブのみを使って形成された例について説明する。なお、ここでは、スタッドをランナーに固定するためのビス等についての図示は省略している。
【００５２】
（１）例えば、図６〜図８（なお、図７は図６の水平断面図であり、図８は図７の８−８線断面図である）に示されるように、ランナー８０のウエブ８２において、ランナー８０のフランジ８８（又はフランジ９０）とランナー８０の幅方向で千鳥配置されるスタッド８４（又はスタッド８６）との間に設けられる隙間内に、スタッド８４（又はスタッド８６）側を開口とするコ字状の切込み部９２を形成する。
【００５３】
この切込み部９２内に位置する支持片９４が、ランナー８０に固定されるスタッド８４、８６側にそれぞれ切り起こされ、スタッド８４とランナー８０のフランジ８８、又はスタッド８６とランナー８０のフランジ９０との間の隙間内に、当該支持片９４が配置された状態で、支持片９４によってスタッド８４、８６がそれぞれ支持可能となるようにしても良い。
【００５４】
（２）また、図６に示されるように、支持片９４が切り起こされた状態で、スタッド８４、８６をそれぞれ支持することができれば良いため、切込み部９２は必ずしもスタッド８４とランナー８０のフランジ８８、又はスタッド８６とランナー８０のフランジ９０との間に設けられた隙間内に設けなくても良い。
【００５５】
例えば、図９及び図１０に示されるように（なお、図１０は図９の水平断面図であり、図９及び図１０では簡易的に一方のスタッド１００のみを図示している）、ランナー１０２のウエブ１０４において、スタッド１００のウエブ１０６の外側に位置し、スタッド１００の一方のフランジ１０８からはみ出す長さとなる切込み部１１０を設ける。つまり、スタッド１００のフランジ１０８とランナー１０２のフランジ１０５との間には、隙間１１２が設けられている。
【００５６】
切込み部１１０はスタッド１００側を開口とする略コ字状を成している。この切込み部１１０内に位置する支持片１１４が、スタッド１００側へ切り起こされるが、当該隙間１１２側に位置する支持片１１４の一端側の基部には切込み１１６が入れられ、支持片１１４の他端側に対して屈曲されている。
【００５７】
つまり、支持片１１４はスタッド１００側へ切り起こされると共に、屈曲された状態でスタッド１００とランナー１０２のフランジ１０８との間の隙間１１２内に配置される。そして、ここでは、スタッド１００のウエブ１０６及びフランジ１０８が、Ｌ字状に切り起こされた支持片１１４によって支持可能とされる。
【符号の説明】
【００５８】
１０    スタッド
１２    スタッド
２４    ランナー（スタッド固定ランナー）
２５    ウエブ
２６    上フランジ（フランジ）
２８    下フランジ（フランジ）
３０    支持片
３２    支持片
３６    支持片
４０    支持片
４８    ランナー（スタッド固定ランナー）
５０    スタッド
５２    スタッド
５８    絞り部
６０    フランジ
６２    フランジ
６４    凹部（係合部）
６６    ネジ孔
７０    支持片
７４    係合突部（被係合部）
８０    ランナー（スタッド固定ランナー）
８２    ウエブ
８４    スタッド
８６    スタッド
８８    フランジ
９０    フランジ
９４    支持片
１００  スタッド
１０２  ランナー（スタッド固定ランナー）
１０４  ウエブ
１０５  フランジ
１１４  支持片
【図１】
0003162455.tif 000003
【図２】
0003162455.tif 000004
【図３】
0003162455.tif 000005
【図４】
0003162455.tif 000006
【図５】
0003162455.tif 000007
【図６】
0003162455.tif 000008
【図７】
0003162455.tif 000009
【図８】
0003162455.tif 000010
【図９】
0003162455.tif 000011
【図１０】
0003162455.tif 000012